(57)【要約】【課題】USB変換コネクタの保管構造の提供。【解決手段】本実用新案は一種USB変換コネクタの保管構造を提供し、それは主に下記のものを含む、USBアダプタ、少なくとも一つのUSB変換コネクタ、及び蓋体。当該USBアダプタは設置空間及び接続部を有し、当該接続部はそのUSBアダプタの一端を延長する。当該USB変換コネクタの一端はその接続部との結合を選択することができ、及びその接続部との分離を選択することができる。且つ、当該USB変換コネクタはその設置空間中に位置することができる。当該蓋体は線性移動或いは回転移動を行うことができ、当該USBアダプタと互いに接続して、その設置空間を封鎖する。当該USBアダプタが開設する設置空間により、若干個のUSB変換コネクタをそのUSBアダプタ中に収納させることができ、USB変換コネクタの遺失を防ぎ、且つ取り出しが便利で、USBアダプタと結合して使用することができる。【選択図】図２
0003133685.tif 000002
【実用新案登録請求の範囲】
【請求項１】
USBアダプタ、少なくとも一つのUSB変換コネクタを含み、
該USBアダプタは設置空間及び接続部を有し、当該接続部は当該USBアダプタの一端を延長し、
該少なくとも一つのUSB変換コネクタは当該USB変換コネクタの一端は当該接続部との結合を選択することができ、及びその接続部との分離を選択することができ、且つ、そのUSB変換コネクタはその設置空間中に位置することができることを特徴とするUSB変換コネクタの保管構造。
【請求項２】
当該保管構造が更にヘッドキャップ部を含み、当該ヘッドキャップ部は当該USBアダプタと互いに接続し、その接続部の閉鎖を行うことを特徴とする請求項１に述べる、USB変換コネクタの保管構造。
【請求項３】
当該保管構造が更に蓋体を含み、当該蓋体は当該USBアダプタと互いに接続し、その設置空間の封鎖を行うことを特徴とする請求項１に述べる、USB変換コネクタの保管構造。
【請求項４】
当該蓋体が少なくとも一つの導入部を有し、且つ当該蓋体に当該導入部の延長方向に沿った移動を行わせることを特徴とする請求項３に述べる、USB変換コネクタの保管構造。
【請求項５】
当該USB変換コネクタが少なくとも一つのガイドスロットを有し、当該ガイドスロットはその設置空間に対応し、且つその導入部との接続を提供することを特徴とする請求項４に述べる、USB変換コネクタの保管構造。
【請求項６】
当該設置空間が少なくとも一つのセパレータを有し、当該セパレータは当該USB変換コネクタをその設置空間中に位置決めさせることができることを特徴とする請求項１に述べる、USB変換コネクタの保管構造。
【請求項７】
当該蓋体が少なくとも一つの軸部を有し、且つ当該蓋体は当該軸部を軸心とし、回転移動をすることができることを特徴とする請求項３に述べる、USB変換コネクタの保管構造。
【考案の詳細な説明】
【技術分野】
【０００１】
本実用新案は一種USBポートの閉鎖装置に関するもので、特に一種複数個のUSB変換コネクタを収納することができる保管構造を指す。
【背景技術】
【０００２】
科学技術は日々進歩し、パソコンの普及と情報機器の発達につれ、各種異なる規格の周辺設備に対応するため、各種規格のコネクタ、ポート、及び信号ケーブルなどが絶え間なく新しいものが出される。マイクロソフトのWindows（登録商標）98の発売開始から、USB (Universal Serial Bus、ユニバーサル・シリアルバス)というこの新しいデータ伝送インタフェースが非常な人気になった。
【０００３】
実のところ、USBのこの規格は、早くは96年にインテル(Intel、登録商標)がすでにこの呼び名を打ち出し始めたが、当時のOSはまだこのインタフェースの駆動機能をサポートしていなかったため、遅れてWindows(登録商標) 98が発売される際、ようやくこの新インタフェースの地位が確定された。USBは一つの共通のインタフェースの規格で、それはキーボード、マウス、ジョイスティックなどの周辺設備を接続することができる。昔のキーボードのコネクタは丸型の内部に6本のピンがついた設計で、マウスはPS2の円型コネクタと9ピンの角型コネクタの2種の異なる規格があった。この種の多様化設計はユーザーがPCに取り付けたり、設備を交換したりする際、多くの面倒を増やした。USBの機能はこれら異なる外形のコネクタを統一するものである。
【０００４】
しかし、USBの便利さは、相対してデータのひどい漏洩をもたらす。誰でもフラッシュメモリ1つ持つだけでホストコンピュータ上のUSBポートに挿すことができ、コンピュータのホスト内のバックアップデータを盗むことができたのである。このため、市場では一種USBポートの閉鎖装置へと発展させた。図1を参照のこと。市場上のUSBポートの閉鎖装置1は下記のものを含む、可動ヘッド部11、本体12、スライドスイッチ13、接続体14、フック体15。そのスライドスイッチ13はその本体12上に位置し、第一位置91及び第二位置92上に位置し運動することができる。その接続体14は前述の本体12の端面に結合し、且つこの端面から延長する。フック体15はその本体12内に位置し、且つそのスライドスイッチ13と互いに連動する。そのスライドスイッチ13が第一位置91に位置する時、フック体15のフック部151はその接続体14内にあり、そのためその接続体14はその可動ヘッド部11と互いに分離することができ、その可動ヘッド部11はUSBポート(図中に未表示)上に位置し、USBポートを閉鎖しデータの読み取りを防止する。そのスライドスイッチ13が第二位置92に位置する時、フック体15のフック部151はその接続体14の外に延長する。そのためその接続体14はその可動ヘッド部11と互いに接続することができ、そしてその本体12上を利用し、その可動ヘッド部11はUSBポートを持ち出し、USBポートの使用を開放する。
【０００５】
しかし、市場上のUSBポートの閉鎖装置1は以下の欠点を有する、当該可動ヘッド部11が占める空間体積が小さいため、フック体15上に接続する時、遺失しにくい以外、フック体15と分離した後は保管しにくく、そのためよく遺失し、新品の購入が必要となる。そのため上記の問題をどのように解決するかは、業者がずっと探し求める解決方法と改善が必要なことであった。
【考案の開示】
【考案が解決しようとする課題】
【０００６】
本実用新案の主な目的は、一種USB変換コネクタの保管構造の提供において、USBアダプタに設置空間を設けることで、USB変換コネクタを収納するのに便利で、USB変換コネクタを遺失しにくくする効果を達成することである。
【０００７】
本実用新案のほかの目的は、一種USB変換コネクタの保管構造の提供において、セパレータにより、設置空間を数個に区分し、同時に複数個のUSB変換コネクタを収納することができる効果を達成することである。
【０００８】
本実用新案のもう一つの目的は、一種USB変換コネクタの保管構造の提供において、セパレータの高さを設置空間の高さより低く設計することにより、ユーザーがUSB変換コネクタを置きやすくまた取り出しやすい効果を達成することである。
【０００９】
上記の目的を達成するため、本実用新案は一種USB変換コネクタの保管構造の提供において、それは以下のものを含む、USBアダプタ、少なくとも一つのUSB変換コネクタ、及び蓋体。そのUSBアダプタは設置空間及び接続部を有し、その接続部はそのUSBアダプタの一端を延長する。当該USB変換コネクタの一端はその接続部との結合を選択することができ、またその接続部との分離を選択することができる。且つ、そのUSB変換コネクタはその設置空間中に位置することができる。当該蓋体は線性移動、或いは回転移動を行うことができ、そしてそのUSBアダプタと互いに接続して、その設置空間の封鎖を行う。
【課題を解決するための手段】
【００１０】
請求項１の考案は、USBアダプタ、少なくとも一つのUSB変換コネクタを含み、
該USBアダプタは設置空間及び接続部を有し、当該接続部は当該USBアダプタの一端を延長し、
該少なくとも一つのUSB変換コネクタは当該USB変換コネクタの一端は当該接続部との結合を選択することができ、及びその接続部との分離を選択することができ、且つ、そのUSB変換コネクタはその設置空間中に位置することができることを特徴とするUSB変換コネクタの保管構造としている。
請求項２の考案は、当該保管構造が更にヘッドキャップ部を含み、当該ヘッドキャップ部は当該USBアダプタと互いに接続し、その接続部の閉鎖を行うことを特徴とする請求項１に述べる、USB変換コネクタの保管構造としている。
請求項３の考案は、当該保管構造が更に蓋体を含み、当該蓋体は当該USBアダプタと互いに接続し、その設置空間の封鎖を行うことを特徴とする請求項１に述べる、USB変換コネクタの保管構造としている。
請求項４の考案は、当該蓋体が少なくとも一つの導入部を有し、且つ当該蓋体に当該導入部の延長方向に沿った移動を行わせることを特徴とする請求項３に述べる、USB変換コネクタの保管構造としている。
請求項５の考案は、当該USB変換コネクタが少なくとも一つのガイドスロットを有し、当該ガイドスロットはその設置空間に対応し、且つその導入部との接続を提供することを特徴とする請求項４に述べる、USB変換コネクタの保管構造としている。
請求項６の考案は、当該設置空間が少なくとも一つのセパレータを有し、当該セパレータは当該USB変換コネクタをその設置空間中に位置決めさせることができることを特徴とする請求項１に述べる、USB変換コネクタの保管構造としている。
請求項７の考案は、当該蓋体が少なくとも一つの軸部を有し、且つ当該蓋体は当該軸部を軸心とし、回転移動をすることができることを特徴とする請求項３に述べる、USB変換コネクタの保管構造としている。
【考案の効果】
【００１１】
本実用新案は一種USB変換コネクタの保管構造を提供し、それは主に下記のものを含む、USBアダプタ、少なくとも一つのUSB変換コネクタ、及び蓋体。当該USBアダプタは設置空間及び接続部を有し、当該接続部はそのUSBアダプタの一端を延長する。当該USB変換コネクタの一端はその接続部との結合を選択することができ、及びその接続部との分離を選択することができる。且つ、当該USB変換コネクタはその設置空間中に位置することができる。当該蓋体は線性移動或いは回転移動を行うことができ、当該USBアダプタと互いに接続して、その設置空間を封鎖する。当該USBアダプタが開設する設置空間により、若干個のUSB変換コネクタをそのUSBアダプタ中に収納させることができ、USB変換コネクタの遺失を防ぎ、且つ取り出しが便利で、USBアダプタと結合して使用することができる。
【考案を実施するための最良の形態】
【００１２】
図２から図５に示すのは、本実用新案のUSB変換コネクタの保管構造の好ましい実施例の立体構造、使用状態、及び蓋体の動作図である。本実用新案のUSB変換コネクタの保管構造2は主に下記のものを含む、USBアダプタ21、少なくとも一つのUSB変換コネクタ22、及び蓋体23。当該USBアダプタ21は設置空間24、及び接続部25を有し、その接続部25はそのUSBアダプタ21の一端を延長し、且つその接続部25はフック体251を有する。フック体251はプレススイッチ27の作動により、そのプレススイッチ27に力を加えて押さえると、フック体251がその接続部25内に入り込み、力を加えるのをやめると、そのプレススイッチ27は自身の弾力により回復し、フック体251はその接続部25から突出する。本実用新案の好ましい実施例中、その保管構造2はさらにヘッドキャップ部26を含み、そのヘッドキャップ部26はそのUSBアダプタ21と互いに接続することができ、その接続部25の閉鎖を行う。そのヘッドキャップ部26はまたそのUSBアダプタ21と互いに分離し、その接続部25を開放し使用することができる。
【００１３】
当該USB変換コネクタ22の一端はその接続部25との結合を選択することができ、及びその接続部25との分離を選択することができる。つまり、そのプレススイッチ27に力を入れて押すと、フック体251がその接続部25内に入り込む。この時そのUSB変換コネクタ22はその接続部25上に位置し移動をすることができ、さらに力を加えるのを止めると、当該プレススイッチ27は自身の弾力により回復し、フック体251がその接続部25から突出し、当該USB変換コネクタ22を固定する。当該USB変換コネクタ22を取り外すと、そのUSB変換コネクタ22はその設置空間24中に置くことができる。本実用新案の好ましい実施例中、その設置空間24は少なくとも一つのセパレータ29を有する。そのセパレータ29はその設置空間24の底面側に位置する複数個の底リブ241、及びその設置空間24の側面側に位置する複数個の横リブ242と組み合わせて、そのUSB変換コネクタ22をその設置空間24中に位置決めすることができる。且つそのセパレータ29の高さh1は設置空間24の高さｈ2より低い(h1＜ｈ2)ため、その設置空間24がそのUSB変換コネクタ22でいっぱいになった時、ユーザーがそのUSB変換コネクタ22を置いたり、取り出したりしやすくすることができる。本実用新案の好ましい実施例中、その設置空間24はそのUSB変換コネクタ22を3個置くことができるが、もちろん、ほかの数量にすることもできる。このような数量の変化はこの項の技術に習熟している者が上記の説明に基づき、変化を加えて実施することができ、また本考案の要旨から離れず、また本考案の精神と範囲から離れていないため、ここでさらなる説明を加えない。
【００１４】
そして、当該蓋体23はそのUSBアダプタ21と互いに接続することができ、その設置空間24の封鎖を行う。当該蓋体23は少なくとも一つの導入部231を有し、且つそのUSBアダプタ21は少なくとも一つのガイドスロット28を有するため、当該ガイドスロット28はその設置空間24に対応する。そのため、そのガイドスロット28はその導入部231との接続を提供することができ、且つその蓋体23をその導入部231の延長方向に沿って移動93させる。
【００１５】
以下の他の好ましい実施例中、大部分のパーツが上記の実施例と同じであるため、同じ番号をつけ、別途説明を加えない。そして類似のパーツは同じ部品番号をつけるが、その後ろにアルファベットを1つ加えて区別し、且つ、異なる場所に対してだけ、記述を加えることを先に説明しておく。第6図、第7図に示すのは、本実用新案のUSB変換コネクタの保管構造図のもう一つの好ましい実施例の立体構造及びその蓋体の動作を側視した構造図である。この好ましい実施例中、そのUSB変換コネクタの保管構造２ａは更に回転固定部20を含み、その蓋体23aは少なくとも一つの軸部233を有する。その軸部233はその蓋体23aから突出し、その軸部233がその回転固定部20と互いに接続する時、ユーザーはオープンスロット232上に力を加えることで、その蓋体23aをその軸部233を軸心として、回転移動94を行わせ、その蓋体23aにその設置空間24の閉鎖或いは開放をさせることができる。
【図面の簡単な説明】
【００１６】
【図１】市場上のUSBポート閉鎖装置の立体構造分解図である。
【図２】本実用新案のUSB変換コネクタの保管構造の好ましい実施例の立体構造図である。
【図３】本実用新案のUSB変換コネクタの保管構造の使用状態の立体構造図である。
【図４】本実用新案のUSB変換コネクタの保管構造の蓋体の動作の立体構造図である。
【図５】本実用新案のUSB変換コネクタの保管構造の蓋体の動作を上から見た構造図である。
【図６】本実用新案のUSB変換コネクタの保管構造のもう一つの好ましい実施例の立体構造図である。
【図７】図６の蓋体の動作を側面から見た構造図である。
【符号の説明】
【００１７】
1  閉鎖装置
11  可動ヘッド部
12  本体
13  スライドスイッチ
14  接続体
15  フック体
151  フック部
2、2a  保管構造
21  USBアダプタ
22  USB変換コネクタ
23、23a  蓋体
231  導入部
24  設置空間
241  底リブ
242  横リブ
25   接続部
251   フック体
26   ヘッドキャップ部
27   プレススイッチ
28   ガイドスロット
29   セパレータ
91   第一位置
92   第二位置
93   移動
h1   セパレータの高さ
h2   設置空間の高さ
【図１】
0003133685.tif 000003
【図２】
0003133685.tif 000004
【図３】
0003133685.tif 000005
【図４】
0003133685.tif 000006
【図５】
0003133685.tif 000007
【図６】
0003133685.tif 000008
【図７】
0003133685.tif 000009